(57)【要約】【課題】イヤホンの使用時に、装置本体から取り外したアクセサリープラグの置き場に困ったり、アクセサリープラグを紛失したりすることがないプラグセットを提供する。【解決手段】アクセサリープラグ1において、スマートフォンＳＰのイヤホンジャックＹＪに対して挿脱される金属製のプラグ部１０と、プラグ部１０に電気的に接続されるとともにイヤホンのプラグが挿脱されるジャック部２１を有する筒状部２０と、筒状部２０に取り付けられた装飾部３０とを備える。【選択図】図１
0003177629.tif 000002
【実用新案登録請求の範囲】
【請求項１】
装置本体のイヤホンジャックに対して挿脱される金属製のプラグ部と、
前記プラグ部に電気的に接続されるとともにイヤホンのプラグが挿脱されるジャック部を有する筒状部と、
前記筒状部に取り付けられた装飾部と、を備える、
アクセサリープラグ。
【請求項２】
前記筒状部は、その中心軸が前記プラグ部の基端側において、前記プラグ部の軸心に対して直交するように配置されている、
ことを特徴とする請求項１に記載のアクセサリープラグ。
【請求項３】
前記装飾部が、人形を模した造形物であり、
前記造形物は、その前面側が、前記中心軸と前記軸心とによって形成される仮想平面に対して直交する向きに向けられている、
ことを特徴とする請求項２に記載のアクセサリープラグ。
【請求項４】
前記造形物は、前記筒状部における、前記中心軸を基準とした前記プラグ部の反対側で、かつ前記プラグ部の前記軸心の延長線上に配置されている、
ことを特徴とする請求項３に記載のアクセサリープラグ。
【請求項５】
前記造形物は、前記筒状部における、前記中心軸を基準とした前記プラグ部の反対側で、かつ前記プラグ部の前記軸心の延長線上からずれた位置に配置されている、
ことを特徴とする請求項３に記載のアクセサリープラグ。
【請求項６】
前記造形物は、脚部を有し、
前記脚部を前記造形物の前側に投げ出して前記筒状部の外周面にかけるようにして配置されている、
ことを特徴とする請求項３ないし５のいずれか１項に記載のアクセサリープラグ。
【請求項７】
前記造形物が、前記筒状部に対して着脱可能である、
ことを特徴とする請求項３ないし６のいずれか１項に記載のアクセサリープラグ。
【請求項８】
前記ジャック部の入口が前記造形物の後側に位置する、
ことを特徴とする請求項４に記載のアクセサリープラグ。
【請求項９】
前記筒状部は、前記中心軸が前記プラグ部の基端側において、前記プラグ部の前記軸心の延長線上に配置されており、
前記装飾部が、前記筒状部の前記外周面を覆うように形成されている、
ことを特徴とする請求項１に記載のアクセサリープラグ。
【請求項１０】
前記筒状部における、前記中心軸を基準とした前記プラグ部の反対側に、前記プラグ部の前記軸心に沿って延びるとともに前記イヤホンジャックに対して挿脱可能な柱状突起を備え、
前記装飾部は、前記プラグ部及び前記柱状突起に係脱可能である、
ことを特徴とする請求項２又は３に記載のアクセサリープラグ。
【請求項１１】
前記筒状部における、前記プラグ部と交差する基端部に、前記筒状部の前記中心軸に沿って延びるとともに前記イヤホンジャックに対して挿脱可能な柱状突起を備え、
前記装飾部は、前記プラグ部及び前記柱状突起に係脱可能である、
ことを特徴とする請求項２又は３に記載のアクセサリープラグ。
【請求項１２】
前記柱状突起が、前記プラグ部と略同形に形成されている、
ことを特徴とする請求項１０又は１１に記載のアクセサリープラグ。
【考案の詳細な説明】
【技術分野】
【０００１】
本考案は、携帯電話やスマートファンのイヤホンジャックに装着して使用するアクセサリープラグに関する。
【背景技術】
【０００２】
携帯電話やスマートフォンにおいて、イヤホンを使用しない場合に、イヤホンジャックを他の用途に使用することがある。
【０００３】
例えば、特許文献１には、イヤホンジャックに小型電卓を装着する技術が開示されている。小型電卓は、基板とプラグとが一体に構成されていている。小型電卓は、使用時にはプラグをイヤホンジャックに挿入して携帯電話に装着する。一方、不使用時にはプラグをイヤホンジャックから引き抜くことで携帯電話から取り外す。取り外した小型電卓は、ストラップに設けられたキャップにプラグを挿入することでストラップに取り付ける。
【０００４】
上述のような携帯電話やスマートフォン（以下「装置本体」という。）において、イヤホンの不使用時に、アクセサリープラグを装置本体に装着して、ドレスアップを図ることがある。
【０００５】
アクセサリープラグは、例えば、キャラクタやマスコット（以下「キャラクタ等」という。）とプラグ部とが一体に構成されていて、プラグ部を装置本体のイヤホンジャックに挿入することで装置本体に取り付ける。キャラクタ等により、装置本体をドレスアップすることができる。
【０００６】
一方、アクセサリープラグは、イヤホンの使用時には、装置本体から取り外す。すなわち、装置本体のイヤホンジャックからアクセサリープラグのプラグ部を引き抜いてアクセサリープラグを装置本体から取り外し、その後、イヤホンのプラグを装置本体のイヤホンジャックに挿入してイヤホンを使用する。
【先行技術文献】
【特許文献】
【０００７】
【特許文献１】特開２００１−３３１４５６号公報
【考案の概要】
【考案が解決しようとする課題】
【０００８】
しかしながら、イヤホンの使用時に装置本体から取り外したアクセサリープラグは、その置き場に困ったり、極端な場合には置き忘れて紛失したりするおそれがあった。
【０００９】
本考案は、上述した事情に鑑みてなされたものであり、イヤホンの使用時に、装置本体から取り外して、置き場に困ったり紛失したりすることがないアクセサリープラグを提供することを目的とするものである。
【課題を解決するための手段】
【００１０】
請求項１に係る考案は、アクセサリープラグにおいて、装置本体のイヤホンジャックに対して挿脱される金属製のプラグ部と、前記プラグ部に電気的に接続されるとともにイヤホンのプラグが挿脱されるジャック部を有する筒状部と、前記筒状部に取り付けられた装飾部と、を備える。
【００１１】
請求項２に係る考案は、請求項１に係るアクセサリープラグにおいて、前記筒状部は、その中心軸が前記プラグ部の基端側において、前記プラグ部の軸心に対して直交するように配置されている、ことを特徴とする。
【００１２】
請求項３に係る考案は、請求項２に係るアクセサリープラグにおいて、前記装飾部が、人形を模した造形物であり、前記造形物は、その前面側が、前記中心軸と前記軸心とによって形成される仮想平面に対して直交する向きに向けられている、ことを特徴とする。
【００１３】
請求項４に係る考案は、請求項３に係るアクセサリープラグにおいて、前記造形物は、前記筒状部における、前記中心軸を基準とした前記プラグ部の反対側で、かつ前記プラグ部の前記軸心の延長線上に配置されている、ことを特徴とする。
【００１４】
請求項５に係る考案は、請求項３に係るアクセサリープラグにおいて、前記造形物は、前記筒状部における、前記中心軸を基準とした前記プラグ部の反対側で、かつ前記プラグ部の前記軸心の延長線上からずれた位置に配置されている、ことを特徴とする。
【００１５】
請求項６に係る考案は、請求項３ないし５のいずれか１項に係るアクセサリープラグにおいて、前記造形物は、脚部を有し、前記脚部を前記造形物の前側に投げ出して前記筒状部の外周面にかけるようにして配置されている、ことを特徴とする。
【００１６】
請求項７に係る考案は、請求項３ないし６のいずれか１項に係るアクセサリープラグにおいて、前記造形物が、前記筒状部に対して着脱可能である、ことを特徴とする。
【００１７】
請求項８に係る考案は、請求項４に記載のアクセサリープラグにおいて、前記ジャック部の入口が前記造形物の後側に位置する、ことを特徴とする。
請求項９に係る考案は、請求項１に係るアクセサリープラグにおいて、前記筒状部は、中心軸が前記プラグ部の基端側において、前記プラグ部の軸心の延長線上に配置されており、前記装飾部が、前記筒状部の外周面を覆うように形成されている、ことを特徴とする。
【００１８】
請求項１０に係る考案は、請求項２又は３に記載のアクセサリープラグにおいて、前記筒状部における、前記中心軸を基準とした前記プラグ部の反対側に、前記プラグ部の前記軸心に沿って延びるとともに前記イヤホンジャックに対して挿脱可能な柱状突起を備え、前記装飾部は、前記プラグ部及び前記柱状突起に係脱可能である、ことを特徴とする。
【００１９】
請求項１１に係る考案は、請求項２又は３に記載のアクセサリープラグにおいて、前記筒状部における、前記プラグ部と交差する基端部に、前記筒状部の前記中心軸に沿って延びるとともに前記イヤホンジャックに対して挿脱可能な柱状突起を備え、前記装飾部は、前記プラグ部及び前記柱状突起に係脱可能である、ことを特徴とする。
【００２０】
請求項１２に係る考案は、請求項１０又は１１に記載のアクセサリープラグにおいて、前記柱状突起が、前記プラグ部と略同形に形成されている、ことを特徴とする。
【考案の効果】
【００２１】
本考案によれば、イヤホンを使用しない場合には、装置本体のイヤホンジャックにアクセサリープラグのプラグ部を挿入することにより、装置本体にアクセサリープラグを装着して、装置本体をドレスアップすることができる。一方、イヤホンを使用する場合には、装置本体に装着されたアクセサリープラグのジャック部にイヤホンのプラグを挿入することでイヤホンを装置本体に装着することができる。つまり、アクセサリープラグを装置本体から取り外すことなくイヤホンを装着することができる。このため、イヤホンを使用する際にアクセサリープラグの置き場に困ったり、アクセサリープラグを紛失したりするおそれがない。
【図面の簡単な説明】
【００２２】
【図１】（Ａ）はアクセサリープラグ１の正面図、（Ｂ）は右側面図である。
【図２】（Ａ）はアクセサリープラグ１の分解正面図、（Ｂ）は分解右側面図、（Ｃ）は右斜め上方から見た斜視図、（Ｄ）は分解斜視図である。
【図３】（Ａ）はアクセサリープラグ２の正面図、（Ｂ）は右側面図、（Ｃ）は右斜め上方から見た斜視図である。
【図４】（Ａ）はアクセサリープラグ３の正面図、（Ｂ）は右側面図、（Ｃ）は右斜め上方から見た斜視図である。
【図５】（Ａ）はアクセサリープラグ４の正面図、（Ｂ）は右側面図、（Ｃ）は右斜め上方から見た斜視図である。
【図６】（Ａ）はアクセサリープラグ５の分解正面図、（Ｂ）は分解右側面図、（Ｃ）は右斜め上方から見た分解斜視図である。
【図７】（Ａ）はアクセサリープラグ５の正面図、（Ｂ）は右側面図、（Ｃ）は右斜め上方から見た斜視図である。
【図８】（Ａ）はアクセサリープラグ６の分解正面図、（Ｂ）は分解右側面図、（Ｃ）は分解上面図、（Ｄ）は右斜め上方から見た斜視図、（Ｅ）は右斜め上方から見た分解斜視図である。
【図９】（Ａ）はアクセサリープラグ６の正面図、（Ｂ）は右側面図、（Ｃ）は上面図である。
【考案を実施するための形態】
【００２３】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２４】
図１，図２を参照して、本考案を適用した実施形態１に係るアクセサリープラグ１について説明する。
【００２５】
ここで、図１（Ａ）はアクセサリープラグ１の正面図、（Ｂ）は右側面図である。また、図２（Ａ）はアクセサリープラグ１の分解正面図、（Ｂ）は分解右側面図、（Ｃ）は右斜め上方から見た斜視図、（Ｄ）は右斜め上方から見た分解斜視図である。なお、図１（Ａ），（Ｂ）、図２（Ｃ）中に矢印で示す前後左右上下の方向が、アクセサリープラグ１の前後左右上下に対応するものとする。
【００２６】
図１，図２に示すように、アクセサリープラグ１は、プラグ部１０と筒状部２０と装飾部としての造形物（装飾部）３０とを備えて構成されている。
【００２７】
プラグ部１０は、一般的なイヤホンのプラグと同形であり、金属製である。プラグ部１０は、装置本体としてのスマートフォンＳＰのイヤホンジャックＹＪに対して挿脱される。プラグ部１０は、軸心Ｃ１を有している。
【００２８】
筒状部２０は、中心軸Ｃ２を中心とした円筒状に形成されている。筒状部２０は、内側に金属製のジャック部２１を有していて、外側はプラスチック（合成樹脂）で形成されている。筒状部２０は、中心軸Ｃ２に沿った方向の一方の端部（基端部、左端部））が、プラグ部１０の上端部（基端部）と交差する。筒状部２０の他方の端部（先端部、右端部）は、イヤホン（不図示）のプラグ（不図示）を挿脱するための挿入口２０ａとなっている。
【００２９】
ジャック部２１は、上述のプラグ部１０と電気的に接続されている。つまり、両者間に導通が図られている。このため、プラグ部１０がスマートフォンＳＰのイヤホンジャックＹＪに挿入された状態のアクセサリープラグ１のジャック部２１に対して、挿入口２０ａからイヤホンのプラグを挿入した場合には、プラグを直接、スマートフォンＳＰのイヤホンジャックＹＪに挿入したときと同様に、イヤホンを使用することができる。筒状部２０の外周面における、プラグ部１０の軸心Ｃ１の延長線上には、後述する造形物３０を取り付けるための係合凸部２０ｂが突設されている。
【００３０】
筒状部２０の中心軸Ｃ２は、プラグ部１０の軸心Ｃ１に対して直交している。つまり、筒状部２０は、基端部（左端部）がプラグ部１０の基端側（上端側）に位置し、右端部（他方の端部）が右側を向いている。
【００３１】
このため、アクセサリープラグ１のプラグ部１０をスマートフォンＳＰのイヤホンジャックＹＪに挿入すると、筒状部２０は、横向き（中心軸Ｃ２が横向き）になって、スマートフォンＳＰの端縁から少し離れて、端縁に沿って配置されるようになっている。
【００３２】
造形物（装飾部）３０は、図示例では、胴部３１と頭部３２と脚部３３とを有する人形を模して形成されている。胴部３１の下面３１ａには、上述の筒状部２０の係合凸部２０ｂに係脱可能な係合凹部（不図示）が設けられている。造形物３０は、係合凸部２０ｂに取り付けた際には、その上下方向の体幹中心Ｃ３が、プラグ部１０の軸心Ｃ１の延長線と一致するようになっている。
【００３３】
また、造形物３０は、この際、筒状部２０における、中心軸Ｃ２を基準としてプラグ部１０とは反対側に配置され、造形物３０の前面側（正面側）が、軸心Ｃ１と中心軸Ｃ２とによって形成される仮想平面（不図示）に対して、直交する向き、すなわち前向きに向けられている。また、この際、脚部３３を前側に投げ出して筒状部の外周面にかけるようにして配置されている。つまり、造形物３０が筒状部２０に座っているように見える。
【００３４】
図１（Ｂ）に示すように、スマートフォンＳＰの厚さ（同図中における斜線部分の左右方向の幅）に対して、造形物３０の前後方向の幅（厚さ）、ひいてはアクセサリープラグ１の幅（厚さ）が、略同じか、さらに好ましくは、小さくなるようにするとよい。これにより、スマートフォンＳＰに装着したアクセサリープラグ１が邪魔になりにくい。
【００３５】
上述構成のアクセサリープラグ１は、イヤホンを使用しない場合には、スマートフォンＳＰのイヤホンジャックＹＪにプラグ部１０を挿入することにより、スマートフォンＳＰに装着して、スマートフォンＳＰをドレスアップすることができる。
【００３６】
一方、イヤホンを使用する場合には、スマートフォンＳＰに装着されたアクセサリープラグ１のジャック部２１にイヤホンのプラグを挿入することでイヤホンをスマートフォンＳＰに装着することができる。つまり、アクセサリープラグ１をスマートフォンＳＰから取り外すことなくイヤホンを装着することができる。このため、イヤホンを使用する際にアクセサリープラグ１の置き場に困ったり、アクセサリープラグ１を紛失したりするおそれがない。
【００３７】
また、本実施形態のアクセサリープラグ１は、プラグ部１０をスマートフォンＳＰのイヤホンジャックＹＪに挿入すると、筒状部２０がスマートフォン１０の上端に沿って右向きに倒れたように配置されるので、筒状部２０のジャック部２１にイヤホンのプラグを挿入した場合に、このプラグもスマートフォンＳＰの上端に沿って配置される。このため、プラグが邪魔になりにくい。
【００３８】
また、造形部３０は、筒状部２０の基端部に座るように載せられて、筒状部の先端部が空いているように見えるので、造形的に興趣あるものとすることができる。
【００３９】
なお、上述では、造形物３０は、筒状部２０に対して着脱自在である場合を説明したが、これに限定されず、造形物３０を筒状部２０に接着等によって固定するようにしてもよい。
＜実施形態２＞
【００４０】
図３を参照して、本考案を適用した実施形態２に係るアクセサリープラグ２について説明する。
【００４１】
ここで、図３（Ａ）はアクセサリープラグ２の正面図、（Ｂ）は右側面図、（Ｃ）は右斜め上方から見た斜視図である。なお、図３（Ｃ）中に矢印で示す前後左右上下が、アクセサリープラグ２の前後左右上下に対応するものとする。
【００４２】
本実施形態のアクセサリープラグ２は、上述の実施形態１のアクセサリープラグ１では造形物３０が筒状部２０の基端部（左端部）に配置されていたのと異なり、造形物３０Ａが筒状部２０Ａの左右方向の略中央に配置されている。また、造形物３０Ａが腕部３４を有している。これ以外の構成は、上述のアクセサリープラグ１と同様である。
【００４３】
筒状部２０Ａは、上述と同様の、ジャック部２１、挿入口２０ａを有している。筒状部２０Ａの外周面における上部には、左右方向の略中心に係合凸部（不図示）が突設されている。この係合凸部に、造形物３０Ａの係合凹部（不図示）が係合されて、造形物３０Ａ全体が筒状部３０Ａに取り付けられている。
【００４４】
このため、プラグ部１０の軸心Ｃ１に対して、造形物３０Ａの体幹中心Ｃ３が右側にずれている。つまり、本実施形態のアクセサリープラグ２によれば、造形物３０Ａが、プラグ部１０よりも右側に配置されて、筒状部２０Ａの左右方向の略中心に配置されている。これにより、造形物３０Ａが筒状部２０に対して、安定して座っているように見える。
＜実施形態３＞
【００４５】
図４を参照して、本考案を適用した実施形態３に係るアクセサリープラグ３について説明する。
【００４６】
ここで、図４（Ａ）はアクセサリープラグ３の正面図、（Ｂ）は右側面図、（Ｃ）は右斜め上方から見た斜視図である。なお、図４（Ｃ）中に矢印で示す前後左右上下が、アクセサリープラグ３の前後左右上下に対応するものとする。
本実施形態のアクセサリープラグ３は、筒状部２０Ｂが造形物３０Ｂの後側に延びている。
【００４７】
造形物３０Ｂは、胴部３１Ｂと頭部３２Ｂと腕部３４Ｂとを有していて、その体幹中心Ｃ３がプラグ部１０の軸心Ｃ１の延長線上に位置している。言い換えると、プラグ部１０は、造形物３０Ｂの胴部３１Ｂの下端から下方に延びている。
【００４８】
筒状部２０Ｂは、胴部３１Ｂにおける後側（背面側）の下部から後方に向かって延びていて、その後端にジャック部２１の挿入口（入口）２０ａが位置している。
【００４９】
本実施形態のアクセサリープラグ３によれば、スマートフォンＳＲの正面側から見たときに、筒状部２０が胴部３１Ｂの陰に隠れて見えないので、この筒状部２０のジャック部２１に挿入されたイヤホンのプラグも見えない。このため、イヤホンの使用時に、プラグが見えないすっきりしたデザインとなる。
＜実施形態４＞
【００５０】
図５を参照して、本考案を適用した実施形態４に係るアクセサリープラグ４について説明する。
【００５１】
ここで、図５（Ａ）はアクセサリープラグ４の正面図、（Ｂ）は右側面図、（Ｃ）は右斜め上方から見た斜視図である。なお、図５（Ｃ）中に矢印で示す前後左右上下が、アクセサリープラグ４の前後左右上下に対応するものとする。
【００５２】
本実施形態のアクセサリープラグ４は、プラグ部１０の軸心Ｃ１と、筒状部２０Ｃの中心軸Ｃ２と、造形物３０Ｃの体幹中心Ｃ３とが同一直線上に位置するように構成されている。
【００５３】
筒状部２０Ｃは、プラグ部１０の上側に、縦向き（中心軸Ｃ２が上下方向を向く）に配置されていて、挿入口２０ａが上端に位置する。また、筒状部２０Ｃの外周面に、造形物２０の胴部３１Ｃ、頭部３２Ｃ、腕部３４Ｃが配置されているともいえる。言い換えると、造形物３０Ｃの体幹中心Ｃ３に、筒状部２０Ｃが縦向きに配置されているともいえる。
【００５４】
本実施形態によると、イヤホンのプラグは、筒状部２０Ｃのジャック部２１に対して、上端の挿入口２０ａから挿入するようになる。このため、プラグの挿脱が容易である。また、筒状部２０Ｃが造形物３０Ｃの内側に組み込まれた構成であるので、筒状部２０Ｃが露出されることなく、デザイン的に簡素なものとすることができる。
＜実施形態５＞
【００５５】
図６，図７を参照して、本考案を適用した実施形態５に係るアクセサリープラグ５について説明する。
【００５６】
ここで、図６（Ａ）はアクセサリープラグ５の分解正面図、（Ｂ）は分解右側面図、（Ｃ）は右斜め上方から見た分解斜視図である。なお、図６（Ａ），（Ｂ）中に矢印で示す前後左右上下が、アクセサリープラグ５の前後左右上下に対応するものとする。
【００５７】
これらの図に示すように、アクセサリープラグ５は、プラグ部１０と、筒状部２０Ｄと、柱状突起１１と、造形物３０Ａを備えて構成されている。
【００５８】
このうち、プラグ部１０及び筒状部２０Ｄについては、上述の図１に示すプラグ部１０及び筒状部２０と略同様であり、また、造形物３０Ａは、図３に示す造形物３０Ａと略同様であるので、これらプラグ部１０、筒状部２０Ｄ、造形物３０Ａについての説明は省略する。
【００５９】
筒状部２０Ｄには、基端部（左端部）における外周面に柱状突起１１が突設されている。図示例では、柱状突起１１は、プラグ部１０と略同形に形成されていて、プラグ部１０の軸心（不図示）の延長線上に配置されている。言い換えると、柱状突起１１は、筒状部２０Ｄにおける、筒状部２０Ｄの中心軸（不図示）を基準としたプラグ部１０と反対側に、上向きに突設されている。柱状突起１１は、例えば、筒状部２０Ｄの外周側と同様、プラスチック（合成樹脂）で形成されている。柱状突起１１は、スマートフォンＳＰのイヤホンジャックＹＪに対して着脱可能である。
【００６０】
また、造形物３０Ａにおける胴部の下面には、柱状突起１１が挿脱可能な係合凹部（不図示）が形成されている。この造形物３０Ａの係合凹部に対しては、金属製のプラグ部１０とプラスチック製の柱状突起１１の双方が挿脱可能である。上述のように、これらプラグ部１０と柱状突起１１は、双方ともスマートフォンＳＰのイヤホンジャックＹＪに対しても挿脱可能である。
【００６１】
このため、本実施形態のアクセサリープラグ５は、プラグ部１０と柱状突起１１のいずれもイヤホンジャックに挿入することができ、挿入しない方に、造形物３０Ａを挿入することができる。つまり、プラグ部１０と柱状突起１１のうちから、イヤホンジャックＹＪに挿入するものをユーザが任意に選択することができる。
【００６２】
スマートフォンＳＰは、機種によっては、イヤホンを使用しない場合、イヤホンジャックＹＬに、金属製のプラグ部１０が挿入されていると、機能の一部が制約されるものがある。アクセサリープラグ５は、このような機種に対しては、イヤホンを使用しない場合には、プラスチック製の柱状突起１１をイヤホンジャックＹＪに挿入し、残ったプラグ部１０に造形物３０Ａを挿入する。これにより、機能が制約されるおそれがない。
【００６３】
一方、イヤホンを使用する場合には、金属製のプラグ部１０をイヤホンジャックＹＪに挿入し、プラスチック製の柱状突起１１に造形物３０Ａを挿入する。そして、筒状部２０のジャック部２１にイヤホンのプラグを挿入してイヤホンを使用する。
【００６４】
なお、イヤホンを使用しない場合、金属製のプラグ部１０をイヤホンジャックＹＪに挿入していても機能が制約されない機種にあっては、金属製のプラグ部１０をイヤホンジャックに挿入しておくことが好ましい。この場合には、イヤホンの使用時に、アクセサリープラグ５を付け代える必要がない。つまり、アクセサリープラグ５は、イヤホンの使用、未使用にかかわらず、常時同じ状態で装着したままとすることができる。
＜実施形態６＞
【００６５】
図８，図９を参照して、本考案を適用した実施形態６に係るアクセサリープラグ６について説明する。
【００６６】
ここで、図８（Ａ）はアクセサリープラグ６の分解正面図、（Ｂ）は分解右側面図、（Ｃ）は分解上面図、（Ｄ）は右斜め上方から見た斜視図、（Ｅ）は右斜め上方から見た分解斜視図である。なお、図８（Ａ），（Ｂ），（Ｃ）中に矢印で示す前後左右上下が、アクセサリープラグ６の前後左右上下に対応するものとする。
【００６７】
これらの図に示すように、アクセサリープラグ６は、プラグ部１０と、筒状部２０Ｅと、柱状突起１１と、造形物３０Ｅを備えて構成されている。
【００６８】
このうち、プラグ部１０及び筒状部２０Ｅについては、上述の図１に示すプラグ部１０及び筒状部２０と略同様であり、また、造形物３０Ｅは、横向きに寝姿になっている点を除いて、図６，図７に示す造形物３０Ａと略同様であるので、これらプラグ部１０、筒状部２０Ｅ、造形物３０Ｅについての説明は省略する。
【００６９】
筒状部２０Ｅには、基端部（左端部）に柱状突起１１が左向きに突設されている。図示例では、柱状突起１１は、プラグ部１０と略同形に形成されていて、プラグ部１０の軸心（不図示）に対しては、直交する向きに配置されている。柱状突起１１は、その軸心（不図示）が、筒状部２０Ｅの中心軸（不図示）の延長線上に位置するように配置されている。柱状突起１１は、例えば、筒状部２０Ｅの外周側と同様、プラスチック（合成樹脂）で形成されている。柱状突起１１は、スマートフォンＳＰのイヤホンジャックＹＪに対して着脱可能である。
【００７０】
また、造形物３０Ｅにおける胴部の下面には、柱状突起１１が挿脱可能な係合凹部（不図示）が形成されている。この造形物３０Ｅの係合凹部に対しては、金属製のプラグ部１０とプラスチック製の柱状突起１１の双方が挿脱可能である。上述のように、これらプラグ部１０と柱状突起１１は、双方ともスマートフォンＳＰのイヤホンジャックＹＪに対しても挿脱可能である。
【００７１】
このため、本実施形態のアクセサリープラグ６は、プラグ部１０と柱状突起１１のいずれもイヤホンジャックに挿入することができ、挿入しない方に、造形物３０Ｅを挿入することができる。つまり、プラグ部１０と柱状突起１１のうちから、イヤホンジャックＹＪに挿入するものをユーザが任意に選択することができる。
【００７２】
スマートフォンＳＰは、機種によっては、イヤホンを使用しない場合、イヤホンジャックＹＬに、金属製のプラグ部１０が挿入されていると、機能の一部が制約されるものがある。アクセサリープラグ６は、このような機種に対しては、イヤホンを使用しない場合には、プラスチック製の柱状突起１１をイヤホンジャックＹＪに挿入し、残ったプラグ部１０に造形物３０Ａを挿入する。これにより、機能が制約されるおそれがない。
【００７３】
一方、イヤホンを使用する場合には、金属製のプラグ部１０をイヤホンジャックＹＪに挿入し、プラスチック製の柱状突起１１に造形物３０Ｅを挿入する。そして、筒状部２０のジャック部２１にイヤホンのプラグを挿入してイヤホンを使用する。
【００７４】
なお、イヤホンを使用しない場合、金属製のプラグ部１０をイヤホンジャックＹＪに挿入していても機能が制約されない機種にあっては、金属製のプラグ部１０をイヤホンジャックに挿入しておくことが好ましい。この場合には、イヤホンの使用時に、アクセサリープラグ６を付け代える必要がない。つまり、アクセサリープラグ６は、イヤホンの使用、未使用にかかわらず、常時同じ状態で装着したままとすることができる。
【００７５】
本実施形態のアクセサリープラグ６によれば、プラグ部１０と柱状突起１１とが直交しているので、スマートフォンＳＰのイヤホンジャックＹＪにプラグ部１０又は柱状突起１１を挿入した場合に、残りはスマートフォンＳＰの端縁と平行になり、これに造形物３０Ｅを挿入するので、スマートフォンＳＰの外側に造形物３０Ｅが出っ張りにくい。
【００７６】
また、アクセサリープラグ６によれば、造形物３０が寝姿をしていて、スマートフォンＳＰの端縁に寝ているように見えるので、造形的に面白い。
【００７７】
以上の実施形態１〜６においては、造形物が人形を模して形成されたものである場合を例に説明したが、造形物としてはこれに限定されるんものではなく、マスコット、キャラクタ、動物、花、乗り物等であってもよい。ただし、いずれの場合も、前後が認識できるものが好ましい。
【符号の説明】
【００７８】
１  実施形態１のアクセサリープラグ
２  実施形態２のアクセサリープラグ
３  実施形態３のアクセサリープラグ
４  実施形態４のアクセサリープラグ
５  実施形態５のアクセサリープラグ
６  実施形態６のアクセサリープラグ
１０  プラグ部
１１  柱状突起
２０，２０Ａ，２０Ｂ，２０Ｃ，２０Ｄ，２０Ｅ  筒状部
２０ａ  挿入口（入口）
２１  ジャック部
３０，３０Ａ，３０Ｂ，３０Ｃ，３０Ｅ  造形物（装飾部）
３３  脚部
Ｃ１  軸心
Ｃ２  中心軸
Ｃ３  体幹中心
【図１】
0003177629.tif 000003
【図２】
0003177629.tif 000004
【図３】
0003177629.tif 000005
【図４】
0003177629.tif 000006
【図５】
0003177629.tif 000007
【図６】
0003177629.tif 000008
【図７】
0003177629.tif 000009
【図８】
0003177629.tif 000010
【図９】
0003177629.tif 000011